(57)【要約】      （修正有）【課題】自装置で測定することのできない情報を記録可能にして商品価値を高めることのできる運動情報測定装置、情報取得方法、および情報取得プログラムを提供する。【解決手段】利用者の動きに応じた情報を検出する体動検出部１を有する運動情報測定装置１０−１は、体動検出部１により検出される情報に基づいて利用者の運動情報を測定する運動情報測定部と、利用者の運動情報を測定する機能を有する他装置と近距離無線通信を行うための通信部３と、通信部３による他装置との通信履歴に基づいて、自装置の利用者とグループ行動を行う利用者に装着された他装置を判別する判別部と、判別部により判別された他装置から、通信部３を介して、自装置で測定不能な情報を取得する情報取得部と、を備える。【選択図】図１
2016150153.tif 000002
【特許請求の範囲】
【請求項１】
利用者の動きに応じた情報を検出する検出部を有する運動情報測定装置であって、
前記検出部により検出される情報に基づいて利用者の運動情報を測定する運動情報測定部と、
利用者の運動情報を測定する機能を有する他装置と近距離無線通信を行うための通信部と、
前記通信部による他装置との通信履歴に基づいて、自装置の利用者とグループ行動を行う利用者に装着された他装置を判別する判別部と、
前記判別部により判別された他装置から、前記通信部を介して、自装置で測定不能な情報を取得する情報取得部と、を備える運動情報測定装置。
【請求項２】
請求項１記載の運動情報測定装置であって、
電池残量を検出する電池残量検出部と、
前記電池残量検出部により検出された電池残量が閾値未満になった場合に、前記検出部への電源供給を停止する電源供給制御部と、を備え、
前記情報取得部は、前記検出部への電源供給の停止期間において前記判別部により判別された他装置によって測定された運動情報を前記他装置から取得し、
前記検出部への電源供給の停止期間における運動情報を、前記情報取得部により取得された運動情報を用いて補間する補間部を更に備える運動情報測定装置。
【請求項３】
請求項２記載の運動情報測定装置であって、
前記補間部は、前記判別部により判別された他装置の利用者の身体情報を前記通信部を介して前記他装置から取得し、取得した身体情報と自装置の利用者の身体情報に基づいて前記他装置によって測定された運動情報を自装置の利用者の運動情報に換算し、換算して得た運動情報を、前記検出部への電源供給の停止期間における運動情報として記憶する運動情報測定装置。
【請求項４】
請求項２又は３記載の運動情報測定装置であって、
前記電源供給制御部は、前記電池残量検出部により検出された電池残量が閾値未満になった場合に、前記通信部への電源供給は継続し、
前記情報取得部は、前記検出部への電源供給の停止期間において、定期的に、前記判別部により判別された他装置によって測定された運動情報を前記他装置から取得する運動情報測定装置。
【請求項５】
請求項２記載の運動情報測定装置であって、
前記情報取得部は、前記判別部により判別された他装置のうち、自装置の利用者の身体情報に最も近い身体情報が記憶されている他装置から運動情報を取得し、
前記補間部は、前記検出部への電源供給の停止期間における運動情報を、前記情報取得部により取得された運動情報で置き換える運動情報測定装置。
【請求項６】
利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の情報取得方法であって、
前記通信部による他装置との通信履歴に基づいて、自装置の利用者とグループ行動を行う利用者に装着された他装置を判別する判別ステップと、
前記判別ステップにより判別された他装置から、前記通信部を介して、自装置で測定不能な情報を取得する情報取得ステップと、を備える情報取得方法。
【請求項７】
コンピュータに請求項６記載の情報取得方法の各ステップを実行させるための情報取得プログラム。
【発明の詳細な説明】
【技術分野】
【０００１】
本発明は、運動情報測定装置、情報取得方法、及び情報取得プログラムに関する。
【背景技術】
【０００２】
近年、加速度センサ及び角速度センサ等の体の動きを検出する動き検出センサを用いることにより、活動量（歩数、歩行距離、消費カロリー等の人の活動の大きさを示す情報）を測定することのできる運動情報測定装置の開発が盛んである。
【０００３】
運動情報測定装置は、利用者に運動情報を提示することで、利用者の健康管理意欲を増進するものであり、毎日継続的に使用することが望まれる。このため、電池持ちがよいことが重要になる。
【０００４】
運動情報測定装置を長時間に渡って使用し続けられるようにする方法としては様々なものがある。例えば、特許文献１には、ユーザの歩行状態が安定していると判断した場合、あるいは、電池残量が設定した値を下回った場合に、歩数計測部への電源供給を停止することで省電力モードに移行し、時刻情報と移動距離から歩数を算出する歩数計測装置が開示されている。
【０００５】
特許文献２には、無線通信状態が悪い場合にデータの送信を繰り返して無駄に電力消費するのを抑制したり、電池容量が所定値以下の場合にメインメモリから不揮発性メモリに送信未了のセンシングデータを書き込むことで、センシングデータが消去されないようにしたりするセンサノードが開示されている。
【０００６】
特許文献３には、電池残量が閾値を下回った場合に、計測間隔、計測時間、または送信間隔を変更する生体情報計測システムが開示されている。
【先行技術文献】
【特許文献】
【０００７】
【特許文献１】特開２０１０−７２９５６号公報
【特許文献２】特開２００７−１８４７５４号公報
【特許文献３】特開２００４−２３０１５２号公報
【発明の概要】
【発明が解決しようとする課題】
【０００８】
特許文献１、３に記載の技術は、電池残量が設定した値を下回った場合に、活動量や生体情報の計測方法を変更することで消費電力を抑えるものである。しかしながら、電池残量が無くなってしまった場合には、活動量や生体情報を記録することができなくなる。
【０００９】
また、特許文献２に記載の技術は、電池残量が所定値以下になった場合、それまで測定したデータが消去されてしまわないようにデータを退避させるものである。しかし、電池残量が無くなってしまった場合には、運動情報を計測することができなくなる。
【００１０】
ここでは、電池残量がない場合に運動情報等が測定できなくなる点を課題に挙げた。しかし、電池残量の有無に関わらず、運動情報測定装置によって測定できなかった情報は、通常は装置に記録することはできない。このように測定不能な情報を疑似的にでも装置に記録できるようになれば、運動情報測定装置の価値を高めることができる。
【００１１】
本発明は、上記事情に鑑みてなされたものであり、自装置で測定することのできない情報を記録可能にして商品価値を高めることのできる運動情報測定装置、情報取得方法、および情報取得プログラムを提供することを目的とする。
【課題を解決するための手段】
【００１２】
本発明の運動情報測定装置は、利用者の動きに応じた情報を検出する検出部を有する運動情報測定装置であって、前記検出部により検出される情報に基づいて利用者の運動情報を測定する運動情報測定部と、利用者の運動情報を測定する機能を有する他装置と近距離無線通信を行うための通信部と、前記通信部による他装置との通信履歴に基づいて、自装置の利用者とグループ行動を行う利用者に装着された他装置を判別する判別部と、前記判別部により判別された他装置から、前記通信部を介して、自装置で測定不能な情報を取得する情報取得部と、を備えるものである。
【００１３】
本発明の情報取得方法は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の情報取得方法であって、前記通信部による他装置との通信履歴に基づいて、自装置の利用者とグループ行動を行う利用者に装着された他装置を判別する判別ステップと、前記判別ステップにより判別された他装置から、前記通信部を介して、自装置で測定不能な情報を取得する情報取得ステップと、を備えるものである。
【００１４】
本発明の情報取得プログラムは、コンピュータに前記情報取得方法の各ステップを実行させるためのプログラムである。
【発明の効果】
【００１５】
本発明によれば、自装置で測定することのできない情報を記録可能にして商品価値を高めることのできる運動情報測定装置、情報取得方法、および情報取得プログラムを提供することができる。
【図面の簡単な説明】
【００１６】
【図１】本発明の一実施形態を説明するためのシステム１００の概略構成を示す図である。
【図２】図１の運動情報測定装置１０の制御部２によって実現される機能ブロックを示す図である。
【図３】記憶部５に記憶される通信履歴の一例を示す図である。
【図４】運動情報の補間方法の一例を示す図である。
【図５】システム１００における運動情報測定装置１０の動作を説明するためのフローチャートである。
【発明を実施するための形態】
【００１７】
以下、本発明の実施形態について図面を参照して説明する。
【００１８】
図１は、本発明の一実施形態を説明するためのシステム１００の概略構成を示す図である。システム１００は、複数（図１の例では、３台）の運動情報測定装置１０−１〜１０−３を備える。運動情報測定装置１０−１〜１０−３は、それぞれ、利用者の体に装着（利用者の衣服のポケットや利用者の所持するバッグにしまわれている状態も含む）されて使用されるものであり、具体例としては歩数計や活動量計やスポーツウォッチ等である。
【００１９】
本実施形態においては、利用者Ａ、利用者Ｂ、利用者Ｃが運動情報測定装置１０−１、１０−２、１０−３をそれぞれ所持して山登り等のグループ行動を行う場合を想定している。
【００２０】
このシステム１００では、例えば、利用者Ａの運動情報測定装置１０−１の電池残量が低下した際に、運動情報測定装置１０−１が運動情報の測定を停止すると共に、他の運動情報測定装置から運動情報を取得し、取得した運動情報を運動情報測定装置１０−１の利用者の運動情報として記憶する。以下、運動情報測定装置１０−１〜１０−３を個々に区別する必要がない場合、単に運動情報測定装置１０と記載する。
【００２１】
運動情報測定装置１０は、体動検出部１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、電池残量検出部６と、各種情報を表示するための表示部７と、を備える。
【００２２】
体動検出部１は、運動情報測定装置１０が装着された利用者の体の部位の動きに応じた情報（加速度、角速度等）を検出する。体動検出部１は、加速度センサ及び角速度センサ等の各種モーションセンサと、各種モーションセンサから出力された信号を処理する信号処理部とを含む。体動検出部１は、少なくとも１つのモーションセンサとこのモーションセンサからの信号を処理する信号処理部を含んでいればよい。体動検出部１は、利用者の動きに応じた情報を検出する検出部として機能する。
【００２３】
制御部２は、記憶部５のＲＯＭに記憶されたプログラムを実行するプロセッサを主体に構成される。
【００２４】
通信部３は、他の運動情報測定装置１０（以下、他装置１０という）と近距離無線通信を行うためのインターフェースである。近距離無線通信とは、インターネット等のネットワークを介さずに装置間で直接通信を行える通信規格に準拠した通信のことを言う。このインターフェースとしては、ＡＮＴ（ＰＡＮ（Ｐｅｒｓｏｎａｌ  Ａｒｅａ  Ｎｅｔｗｏｒｋ）向けの規格）に準拠した通信インターフェース、ブルートゥース（登録商標）に準拠した通信インターフェース等が用いられる。
【００２５】
操作部４は、制御部２に各種指示を入力するためのデバイスであり、ボタンやタッチパネル等により構成される。
【００２６】
記憶部５は、体動検出部１によって検出された検出情報を記憶したり、通信部３を介して受信した情報を記憶したり、運動情報測定装置１０の動作に必要な情報を記憶したりする。
【００２７】
電池残量検出部６は、図示せぬ運動情報測定装置１０の二次電池の電池残量を検出する。電池残量検出部６は、電池残量の検出結果を制御部２に出力する。
【００２８】
図２は、図１の運動情報測定装置１０の記憶部５に記憶されたプログラムをプロセッサが実行することにより制御部２によって実現される機能ブロックを示す図である。
【００２９】
図２に示すように、制御部２は、運動情報測定部２１と、電源供給制御部２２と、判別部２３と、情報取得部２４と、補間部２５と、を備える。
【００３０】
運動情報測定部２１は、体動検出部１により検出される検出情報に基づいて利用者の運動情報を測定する。この運動情報には、利用者の活動量（歩数、歩行距離、消費カロリー等）及び移動速度等が含まれる。移動速度は、例えば、歩行速度、走行速度等の移動の速さを示す情報である。運動情報としては少なくとも歩数を含む活動量が含まれていればよい。運動情報測定部２１により測定された運動情報は記憶部５に記憶される。
【００３１】
電源供給制御部２２は、電池残量検出部６により検出された電池残量が閾値未満になった場合に、体動検出部１への電源供給を停止して消費電力の低減を図る。
【００３２】
判別部２３は、通信部３による他装置１０との通信履歴に基づいて、自装置の利用者とグループ行動を行う利用者に装着された他装置１０を判別する。
【００３３】
運動情報測定装置１０の通信部３の通信可能範囲に他装置１０が入ると、運動情報測定装置１０の通信部３と他装置１０の通信部３の間で通信が確立される。
【００３４】
判別部２３は、通信部３によって他装置１０との通信が確立されている間は、所定間隔で通信相手の他装置１０のＩＤ（識別情報）を取得する。そして、判別部２３は、取得したＩＤを取得時点での時刻と対応付けて記憶部５に記憶する。
【００３５】
これにより、記憶部５には、例えば、図３に示す通信履歴のテーブルが記憶される。このテーブルは、運動情報測定装置１０が、どの時刻にどの他装置１０と通信を行っていたかを示すテーブルである。
【００３６】
図３の例では、時刻１０：００、時刻１０：０５、時刻１０：１０において、００１、００２、００３のＩＤを持つ他装置１０と通信が行われたことを示す通信履歴が記憶されている。
【００３７】
判別部２３は、図３に示すテーブルにおいて、任意時刻からこの任意時刻よりも所定時間（例えば３０分）前の時刻までの間の各時刻に対応して共通に記憶されているＩＤを判別する。ここで判別されたＩＤは、自装置の利用者と所定時間一緒に行動（グループ行動）をしている利用者に装着された他装置１０のＩＤである。このように、判別部２３は、自装置の利用者とグループ行動を行う利用者に装着された他装置１０のＩＤを通信履歴のテーブルに基づいて判別することができる。
【００３８】
情報取得部２４は、電池残量検出部６により検出された電池残量が閾値未満になった場合に、判別部２３により同一行動を行っていると判別された他装置１０（判別された他装置１０が複数ある場合には、複数の他装置１０のいずれかの装置）から、この他装置１０によって測定された運動情報を取得する。
【００３９】
補間部２５は、体動検出部１への電源供給の停止期間において測定できなかった運動情報を、情報取得部２４により取得された運動情報を用いて補間する。
【００４０】
具体的には、図４に示すように、自装置（例えば、運動情報測定装置１０−１）が運動情報３１を測定しており、他装置１０（例えば、運動情報測定装置１０−２）が運動情報３２を測定しているとする。
【００４１】
時刻Ｔ１のタイミングで運動情報測定装置１０−１の電池残量が閾値未満となると、体動検出部１への電源供給が停止される。このため、運動情報測定装置１０−１では、時刻Ｔ１以降の運動情報については測定することができない。
【００４２】
運動情報測定装置１０−１の情報取得部２４は、グループ行動をしていると判別された運動情報測定装置１０−２において時刻Ｔ１以降に測定された運動情報３３を任意のタイミングで取得する。そして、運動情報測定装置１０−１の補間部２５は、情報取得部２４により取得された運動情報３３を、自装置の利用者の時刻Ｔ１以降の運動情報として記憶することで、運動情報の補間を行う。
【００４３】
運動情報が例えば歩行距離であれば、運動情報測定装置１０−１の補間部２５は、運動情報測定装置１０−２から取得した歩行距離の情報をそのまま自装置の情報として記憶することで、運動情報の補間を行うことができる。
【００４４】
運動情報が例えば歩数の場合は、利用者Ｂの歩数をそのまま利用者Ａの歩数として記憶してしまうと、利用者Ａと利用者Ｂの歩幅が同じとは限らないため、正確な情報とはならない可能性がある。
【００４５】
したがって、この場合、補間部２５は、判別部２３により判別された他装置１０の利用者の身体情報である歩幅情報を、通信部３を介して他装置１０から取得する。補間部２５は、情報取得部２４により取得された歩数情報を、自装置の利用者の歩幅情報と他装置１０の利用者の歩幅情報との比に基づいて補正して、自装置の利用者の歩数情報に換算する。補間部２５は、換算して得た歩数情報を、時刻Ｔ１以降の自装置の利用者の歩数情報として記憶する。
【００４６】
以上のように構成されたシステム１００の動作を説明する。
【００４７】
図５は、システム１００における運動情報測定装置１０の動作例を説明するためのフローチャートである。以下では、運動情報測定装置１０−１を装着する利用者Ａ、運動情報測定装置１０−２を装着する利用者Ｂ、運動情報測定装置１０‐３を装着する利用者Ｃが、一緒に山登りをしており、利用者Ａの装着する運動情報測定装置１０−１の電池残量が低下した場合の処理について説明する。
【００４８】
まず、運動情報測定装置１０−１〜１０−３の判別部２３は、定期的に、近距離無線通信により通信が確立されている他装置１０のＩＤ（識別情報）を他装置１０から取得し記憶部５に時刻と対応付けて記憶する。これにより、図３に示す通信履歴のテーブルが各運動情報測定装置１０の記憶部５に記憶されていく。
【００４９】
運動情報測定装置１０−１の電池残量検出部６は、自装置の電池残量を検出する（ステップＳ１）。運動情報測定部２１は、体動検出部１により検出される検出情報に基づいて、利用者の運動情報を測定する（ステップＳ２）。なお、図示していないが、運動情報測定装置１０−２、１０−３においても、ステップＳ１、Ｓ２の処理が行われている。
【００５０】
運動情報測定装置１０−１の電源供給制御部２２は、電池残量検出部６により検出された電池残量が閾値未満であるか否かを判定する（ステップＳ３）。電池残量が閾値未満ではないと判定された場合（ステップＳ３：ＮＯ）はステップＳ１に処理が戻り、電池残量検出及び運動情報測定の処理が繰り返される。
【００５１】
運動情報測定装置１０−１の電源供給制御部２２は、自装置の電池残量が閾値未満であると判定した場合（ステップＳ３：ＹＥＳ）、体動検出部１への電源供給を停止する（ステップＳ４）。
【００５２】
そして、判別部２３は、ステップＳ４の処理がなされてから所定期間経過した時点で、記憶部５に記憶されている通信履歴のテーブルに基づいて、この所定期間において自装置の利用者とグループ行動を行っていた利用者に装着されている他装置１０を判別する（ステップＳ５）。
【００５３】
具体的には、判別部２３は、この所定期間中の各時刻に共通に記憶されているＩＤを持つ他装置１０を、自装置の利用者とグループ行動を行っていた利用者に装着されている他装置１０として判別する。
【００５４】
運動情報測定装置１０−１の情報取得部２４は、ステップＳ５で判別された他装置１０（例えば、運動情報測定装置１０−２）に、通信部３を介して、この所定期間において測定された運動情報の送信を要求する（ステップＳ６）。
【００５５】
運動情報測定装置１０−２の制御部２は、運動情報測定装置１０−１からの要求に基づいて、要求された運動情報を記憶部５から読み出し（ステップＳ７）、読みだした運動情報を、通信部３を介して運動情報測定装置１０−１に送信する（ステップＳ８）。
【００５６】
運動情報測定装置１０−１の補間部２５は、運動情報測定装置１０−２から送信されてきた運動情報を取得し、取得した運動情報を用いて、自装置の上記所定期間における利用者の運動情報を補間する（ステップＳ９）。
【００５７】
例えば、運動情報測定装置１０−２から取得する運動情報が歩数であれば、運動情報測定装置１０−１の補間部２５は、記憶部５に記憶されている自装置の利用者の歩幅情報と、運動情報測定装置１０−２から通信部３を介して取得した運動情報測定装置１０−２の利用者の歩幅情報との比較により、運動情報測定装置１０−１から取得した歩数情報を、運動情報測定装置１０−１の利用者の歩数情報に換算する。
【００５８】
具体的には、運動情報測定装置１０−２の利用者の歩幅情報が６０ｃｍであり、運動情報測定装置１０−２から取得される歩数情報が１０００歩であり、運動情報測定装置１０−１の利用者の歩幅情報が５０ｃｍである場合、運動情報測定装置１０−１の補間部２５は、１０００×６０／５０の演算によって１０００歩を１２００歩に換算する。
【００５９】
また、運動情報測定装置１０−２から取得する運動情報が歩行距離の情報であれば、運動情報測定装置１０−１の補間部２５は、取得した歩行距離の情報を、そのまま、上記所定期間における利用者の歩行距離の情報として記憶する。
【００６０】
ステップＳ９の処理の後は、所定期間経過後に再びステップＳ５の処理がなされ、この所定期間中に自装置の利用者とグループ行動をしていた利用者の他装置１０が判別される。そして、ステップＳ６において、この判別された他装置１０に、この所定期間中に測定された運動情報の送信要求がなされる。以降は、運動情報測定装置１０−１の電池残量が閾値以上に復活するまで、ステップＳ５〜ステップＳ９の処理が繰り返される。
【００６１】
以上のように、運動情報測定装置１０によれば、電池残量が閾値未満となった場合には体動検出部１への電源供給が停止されるため、消費電力を減らして装置の電源がオフになるのを防ぐことができる。また、体動検出部１の動作が停止し、運動情報の測定ができなくなった場合でも、自装置と同一行動をとっている他装置１０から、この測定ができなくなった期間における運動情報を取得して、自装置の運動情報として記憶することができる。このため、運動情報を途切れることなく継続的に記憶しておくことができる。
【００６２】
運動情報測定装置１０が他装置１０から取得した運動情報は、自装置の利用者と同一行動をしている利用者の運動情報である。このため、自装置の補間部２５によって生成された運動情報の信頼性は高い。これまでは、電池残量が少なくなって運動情報の測定が停止されてしまうと、測定が停止されて以降は、運動をしているにも関わらず、運動情報が記憶されなくなり、運動をしなかったことになってしまっていた。
【００６３】
運動情報測定装置１０によれば、このような事態が発生するのを防ぐことができ、利用者の運動に対するモチベーションが低下するのを防ぐことができ、運動情報測定装置１０の利用促進を図ることができる。
【００６４】
また、運動情報測定装置１０では、補間部２５が、利用者同士の身体情報の差に応じて運動情報を補正してデータ補間を行うため、体動検出部１の停止期間中の運動情報の信頼性をより高めることができる。
【００６５】
また、運動情報測定装置１０によれば、電池残量が閾値未満となった場合でも、通信部３は動作しており、定期的に他装置１０から運動情報を取得して自装置の情報として記憶していくことができる。このため、電池残量が閾値未満となった運動情報測定装置１０の所持者は、ある程度の間隔で運動情報が更新されていくのを表示部７などで確認することができる。したがって、電池残量が少ない状況であっても、自身の運動状態を容易に把握することができる。
【００６６】
情報取得部２４は、判別部２３によって判別された他装置１０が複数存在する場合には、自装置の利用者の身体情報（身長、体重、歩幅）に最も近い身体情報を記憶している他装置１０を探索し、探索した他装置１０から運動情報を取得する構成としてもよい。この構成によれば、運動情報が例えば歩数情報の場合に、補間部２５による換算処理を省略しても、補間される運動情報の信頼性を高くすることができる。換算処理を省略できることで、消費電力を削減することができる。
【００６７】
また、情報取得部２４は、判別部２３によって判別された他装置１０が複数存在する場合には、電池残量の最も多い他装置１０を探索し、探索した他装置１０から運動情報を取得する構成としてもよい。電池残量の多い他装置１０から運動情報を取得する構成とすることで、運動情報の取得を確実に行うことができる。
【００６８】
図５の動作例では、所定期間毎にステップＳ５，６の処理が行われるものとしたが、ステップＳ４の処理がなされてからは、利用者が操作部４を操作して任意のタイミングでステップＳ５以降の処理を開始できるようにしてもよい。
【００６９】
また、ステップＳ３の判定がＹＥＳになったときに、電源供給制御部２２は、その時点での時刻（以下、電源オフ時刻という）を記憶部５にさせた後、各部への電源供給を停止（つまり運動情報測定装置１０の電源をオフ）してもよい。
【００７０】
この場合は、運動情報測定装置１０−１が充電された後に電源がオンされると、判別部２３が、電源オフ時刻から所定時間前の時刻までの期間における通信履歴に基づいて、運動情報測定装置１０−１の利用者とグループ行動を行っていた利用者に装着されている他装置１０を判別する。
【００７１】
そして、情報取得部２４は、判別部２３によって判別された他装置１０が通信部３の通信可能範囲にある場合には、この他装置１０に対し、電源オフ時刻以降に測定された運動情報の送信を要求し、要求に応じて送信されてきた運動情報を取得する。このようにすることで、ステップＳ３の閾値をぎりぎりまで低い値にすることができ、運動情報測定装置１０−１における運動情報の測定を可能な限り長く行うことができる。
【００７２】
運動情報測定装置１０は、電池残量の低下により計測できなくなった運動情報を他装置１０から取得するだけでなく、電池残量が十分にあった場合でも自装置では測定することのできない情報を他装置１０から取得し、自装置の情報として記憶することも可能である。
【００７３】
例えば、運動情報測定装置１０は高度情報を計測する機能を備えていないが、他装置１０は高度情報を計測する機能を備えている場合を例にする。
【００７４】
この場合、運動情報測定装置１０の判別部２３は、過去の通信履歴に基づいて、同一行動をとっている利用者に装着された他装置１０を判別し、情報取得部２４は、判別された他装置１０から、自装置では測定できない情報である高度情報を取得して自装置の情報として記憶する。この一連の処理を運動情報測定装置１０の起動中は定期的に行うことで、高度情報を計測できない運動情報測定装置１０であっても、高度情報をログとして記憶することができる。このような構成により、運動情報測定装置１０の商品価値を高めることができる。
【００７５】
コンピュータを、運動情報測定装置１０の運動情報測定部２１、電源供給制御部２２、判別部２３、情報取得部２４、及び補間部２５として機能させるためのプログラム、又は、コンピュータに制御部２が行う各処理を実行させるためのプログラムは、当該プログラムをコンピュータが読取可能な一時的でない（ｎｏｎ−ｔｒａｎｓｉｔｏｒｙ）記録媒体に記録されて提供可能である。
【００７６】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００７７】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００７８】
以上説明してきたように、本明細書には以下の事項が開示されている。
【００７９】
開示された運動情報測定装置は、利用者の動きに応じた情報を検出する検出部を有する運動情報測定装置であって、前記検出部により検出される情報に基づいて利用者の運動情報を測定する運動情報測定部と、利用者の運動情報を測定する機能を有する他装置と近距離無線通信を行うための通信部と、前記通信部による他装置との通信履歴に基づいて、自装置の利用者とグループ行動を行う利用者に装着された他装置を判別する判別部と、前記判別部により判別された他装置から、前記通信部を介して、自装置で測定不能な情報を取得する情報取得部と、を備えるものである。
【００８０】
開示された運動情報測定装置は、電池残量を検出する電池残量検出部と、前記電池残量検出部により検出された電池残量が閾値未満になった場合に、前記検出部への電源供給を停止する電源供給制御部と、を備え、前記情報取得部は、前記検出部への電源供給の停止期間において前記判別部により判別された他装置によって測定された運動情報を前記他装置から取得し、前記検出部への電源供給の停止期間における運動情報を、前記情報取得部により取得された運動情報を用いて補間する補間部を更に備えるものである。
【００８１】
開示された運動情報測定装置は、前記補間部は、前記判別部により判別された他装置の利用者の身体情報を前記通信部を介して前記他装置から取得し、取得した身体情報と自装置の利用者の身体情報に基づいて前記他装置によって測定された運動情報を自装置の利用者の運動情報に換算し、換算して得た運動情報を、前記検出部への電源供給の停止期間における運動情報として記憶するものである。
【００８２】
開示された運動情報測定装置は、前記電源供給制御部は、前記電池残量検出部により検出された電池残量が閾値未満になった場合に、前記通信部への電源供給は継続し、前記情報取得部は、前記検出部への電源供給の停止期間において、定期的に、前記判別部により判別された他装置によって測定された運動情報を前記他装置から取得するものである。
【００８３】
開示された運動情報測定装置は、前記情報取得部は、前記判別部により判別された他装置のうち、自装置の利用者の身体情報に最も近い身体情報が記憶されている他装置から運動情報を取得し、前記補間部は、前記検出部への電源供給の停止期間における運動情報を、前記情報取得部により取得された運動情報で置き換えるものである。
【００８４】
開示された運動情報測定方法は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の情報取得方法であって、前記通信部による他装置との通信履歴に基づいて、自装置の利用者とグループ行動を行う利用者に装着された他装置を判別する判別ステップと、前記判別ステップにより判別された他装置から、前記通信部を介して、自装置で測定不能な情報を取得する情報取得ステップと、を備えるものである。
【００８５】
開示されたプログラムは、コンピュータに前記情報取得方法の各ステップを実行させるためのプログラムである。
【符号の説明】
【００８６】
１０−１〜１０−３  運動情報測定装置
１  体動検出部
２  制御部
３  通信部
６  電池残量検出部
２１  運動情報測定部
２２  電源供給制御部
２３  判別部
２４  情報取得部
２５  補間部
【図１】
2016150153.tif 000003
【図２】
2016150153.tif 000004
【図３】
2016150153.tif 000005
【図４】
2016150153.tif 000006
【図５】
2016150153.tif 000007